(57)【要約】【課題】専門医のいない医療施設における救急患者に対して高度な治療行為を可能にする。【解決手段】救急患者５１および医療補助者５２がいる第１の施設６１に画像データ収集部１とＴＶカメラ４と治療部２が備え、前記画像データ収集部１およびＴＶカメラ４によって得られた前記救急患者５１の画像データを医療情報の通信を行う送受信部１１，２１を介して専門医（医師５３）のいる第２の施設６２に送る。第２の施設６２の医師５３は画像表示部２３にて表示される前記画像データに基づいて治療準備完了を確認した後、治療実行信号入力部２７より治療実行信号を入力する。この治療実行信号は前記送受信部１１，２１を介して第１の施設６１の治療実行信号受信部１０に送られ、前記治療部２による治療の指示を行う。【選択図】  図１
2004147899.tif 000002
【特許請求の範囲】
【請求項１】
第１の施設に設置され、被検体の画像データを収集する画像データ収集手段と、
前記第１の施設に設置され、前記被検体の治療を行うための治療手段と、
第２の施設に設置され、通信手段を介して送信された前記画像データ収集手段からの画像データを表示する画像表示手段と、
前記第２の施設に設置され、前記画像表示手段に表示される画像に基づいて治療実行信号を入力する治療入力手段と、
第１の施設に設置され、前記通信手段を介して送信された前記治療入力手段からの前記治療実行信号を受信し、前記治療手段に対して治療開始の指示を行うための治療指示手段とを
備えることを特徴とする治療システム。
【請求項２】
第１の施設に設置され、被検体の画像データを収集する画像データ収集手段と、
前記第１の施設に設置され、前記被検体の治療を行うための治療手段と、
第２の施設に設置され、通信手段を介して送信された前記画像データ収集手段からの画像データを表示する画像表示手段と、
前記第２の施設に設置され、前記画像表示手段に表示される画像に基づいて治療開始の指示を与えるための治療指示手段と、
前記第１の施設に設置され、前記通信手段を介して送信された前記治療指示手段からの前記治療開始の指示を受信し、前記治療手段に対して治療信号を入力する治療信号入力手段とを
備えることを特徴とする治療システム。
【請求項３】
第１の施設に設置され、被検体の患部の画像データ、及び治療手段による患部治療画像データを収集する画像データ収集手段と、
第２の施設に設置され、通信手段を介して送信された前記画像データ収集手段からの画像データを表示する画像表示手段と、この画像表示手段に表示される画像に基づいて治療実行信号を入力する入力手段とを有する治療入力手段と、
第１の施設に設置され、前記通信手段を介して送信された前記治療入力手段からの前記治療実行信号を受信し、前記治療手段に対し治療開始の指示を行うための治療指示手段とを
備えることを特徴とする治療システム。
【請求項４】
第１の施設に設置され、被検体の患部の画像データ、及び治療手段による患部治療画像データを収集する画像データ収集手段と、
第２の施設に設置され、通信手段を介して送信された前記画像データ収集手段からの画像データを表示する画像表示手段と、この画像表示手段に表示される画像に基づいて治療開始の指示を与える入力手段とを有する治療指示手段と、
第１の施設に設置され、前記通信手段を介して送信された前記治療指示手段からの前記治療開始の指示を受信し、前記治療手段に対し治療信号を入力するための治療信号入力手段とを
備えることを特徴とする治療システム。
【請求項５】
被検体に対して治療を行うための第１の施設と、前記被検体に対する治療の指示を与えるための第２の施設とが通信接続されている治療システムであって、
前記第１の施設は、
前記被検体の患部画像データを収集する画像データ収集手段と、
前記被検体に対して治療を行うための治療手段と、
前記第２の施設より送られる治療実行信号を受信し、前記治療手段に対して治療開始の指示を行う治療指示手段とを有し、
前記第２の施設は、
前記第１の施設から送られる前記画像データを表示する画像表示手段と、
この画像表示手段に表示される画像に基づいて前記治療実行信号を入力し、前記第１の施設に送信するための治療入力手段とを
有することを特徴とする治療システム。
【請求項６】
被検体に対して治療を行うための第１の施設と、前記被検体に対する治療の指示を与えるための第２の施設とが通信接続されている治療システムであって、
前記第１の施設は、
前記被検体の患部画像データを収集する画像データ収集手段と、
前記被検体に対して治療を行うための治療手段と、
前記第２の施設より送られる治療開始の指示を受信し、前記治療手段に対して治療信号を入力する治療信号入力手段とを有し、
前記第２の施設は、
前記第１の施設から送られる前記画像データを表示する画像表示手段と、
この画像表示手段に表示される画像に基づいて前記治療開始の指示を入力し、前記第１の施設に送信する治療指示手段とを
有することを特徴とする治療システム。
【請求項７】
前記画像データ収集手段による画像データは、画像診断装置によって得られる前記被検体の生体画像、あるいはＴＶカメラによって得られる前記被検体の画像の少なくともいづれかであることを特徴とする請求項１乃至請求項６のいずれか１項に記載の治療システム。
【請求項８】
前記画像表示手段は、前記画像データ収集手段が収集した画像診断装置によって得られる前記被検体の生体画像とＴＶカメラによって得られる前記被検体の画像を同一画面上に並べて表示することを特徴とする請求項１乃至請求項６のいずれか１項に記載の治療システム
【請求項９】
前記第１の施設、及び前記第２の施設には音声入出力手段をさらに設け、この音声入出力手段を用いて前記第１の施設と前記第２の施設の間で音声情報の通信を行うことを特徴とする請求項１乃至請求項６のいずれか１項に記載の治療システム。
【請求項１０】
前記第１の施設、及び、または前記第２の施設には診断・治療記憶手段を更に設け、前記画像データを前記診断・治療記憶手段に保存することを特徴とする請求項１乃至請求項６のいずれか１項に記載の治療システム。
【請求項１１】
前記音声入出力手段からの前記音声情報を前記診断・治療記憶手段に保存することを特徴とする請求項９記載の治療システム。
【請求項１２】
前記第１の施設に治療の準備が完了した際に治療準備完了信号を出力する準備手段を更に設け、前記治療準備完了信号、及び前記治療実行信号に基づき、前記治療指示手段は前記治療手段に対して治療開始の指示を行うことを特徴とする請求項１または請求項３または請求項６記載の治療システム。
【請求項１３】
前記第１の施設または前記第２の施設には専門医の認証を行う認証手段を更に設け、前記認証手段によって専門医の認証が行われた場合にのみ前記治療入力手段から前記治療実行信号の入力が可能となることを特徴とする請求項１または請求項３または請求項６記載の治療システム。
【請求項１４】
前記第１の施設に生体情報計測手段、前記第２の施設に生体情報出力手段を更に設け、前記生体情報計測手段によって計測された前記被検体の生体情報信号は、前記通信手段を介して前記生体情報出力手段に出力されることを特徴とする請求項１乃至請求項６のいずれか１項に記載の治療システム。
【請求項１５】
第２の施設と通信回線を介して接続される第１の施設に設けられる治療装置であって、
超音波の送受波を行う超音波振動子を備えた超音波プローブと、
この超音波振動子に対して送受信をおこない画像データを生成する超音波送受波手段と、
強力超音波を前記被検体に照射する超音波発生手段と、
前記通信回線を介して前記第２の施設より送信される治療実行信号を受信し、前記駆動手段に対して強力超音波の照射を指示する治療実行信号受信手段とを
備えることを特徴とする治療装置。
【請求項１６】
前記治療実行信号受信手段は、治療の準備が完了した際に入力される治療準備完了信号に基づいて前記治療実行信号を受信し、前記駆動手段に対して強力超音波の照射を指示することを特徴とする請求項１５記載の治療装置。
【請求項１７】
第２の施設と通信回線を介して接続される第１の施設に設けられる治療装置であって、
超音波の送受波を行う超音波振動子を備えた超音波プローブと、
この超音波振動子に対して送受信をおこない画像データを生成する超音波送受波手段と、
強力超音波を前記被検体に照射する超音波発生手段と、
前記通信回線を介して前記第２の施設へ治療準備が完了したことを通知する通知手段とを
備えることを特徴とする治療装置。
【請求項１８】
被検体に対して治療を行うための第１の施設と、前記被検体に対する治療の指示を与えるための第２の施設とが通信接続されている治療システムの制御方法であって、
前記第１の施設に設置される画像データ収集手段によって収集される前記被検体の画像データを、通信手段を介して前記第２の施設に送信するステップと、
前記第２の施設に設置される画像表示装置に前記画像データを表示するステップと、
前記画像表示装置に表示される前記画像データに基づき、治療実行信号を入力して、前記通信手段を介して第１の施設に送信するステップと、
前記治療実行信号を受信して前記第１の施設に設置される治療手段に対して治療開始の指示を行うステップとを
有することを特徴とする治療システム制御方法。
【請求項１９】
被検体に対して治療を行うための第１の施設と、前記被検体に対する治療の指示を与えるための第２の施設とが通信接続されている治療システムの制御方法であって、
前記第１の施設に設置される画像データ収集手段によって収集される前記被検体の画像データを、通信手段を介して前記第２の施設に送信するステップと、
前記第２の施設に設置される画像表示装置に前記画像データを表示するステップと、
前記画像表示装置に表示される前記画像データに基づき、治療開始の指示を前記通信手段を介して第１の施設に送信するステップと、
前記治療開始の指示に基づき、前記第１の施設に設置される治療手段に対して治療信号を入力するステップとを
有することを特徴とする治療システム制御方法。
【発明の詳細な説明】
【０００１】
【発明の属する技術分野】
本発明は、救急車内や遠隔地の医療施設などにおいて救急治療を可能にする治療装置、治療システム及び治療システム制御方法に関する。
【０００２】
【従来の技術】
わが国の緊急医療システムは、重症度に応じ専門の医療機関、あるいは災害救急センターを選んで患者を病院に搬送する優れたシステムである。例えば、事故などによって重度の障害を受けた救急患者は、まず事故現場に派遣される医師や救急救命士による簡単な応急処置を受けた後、最寄りの災害救急センターに搬送される。この場合、救急患者は救急救命士による応急処置を事故現場や事故現場に近い医療施設、あるいは最寄の災害救急センターへの搬送途上の救急車の中で受ける。
【０００３】
この救急患者に対して行われる救命処置として、気管挿管や人口呼吸、更には心臓マッサージによる心肺蘇生法や止血法などがあり、救急救命士はこれらの救急処置を医師の指示のもとに行なわねばならない。
【０００４】
一方、救急患者は、災害救急センターに到着した時点で予め準備されているＣＴ装置、あるいはＭＲＩ装置などの画像診断装置を用いて損傷部位の精密な検査を受けた後に本格的な治療が開始される。しかしながら、この検査には多くの時間が費やされるために治療が遅れ、患者の生存確率の低下を招いている。
【０００５】
このような問題点に対して、画像診断を救急患者が搬送される救急車の中で行うことによって、災害救急センターでの検査時間を短縮する提案が行われている（例えば、特許文献１参照。）。この技術によれば大型救急車内に画像診断装置を搭載し、救急患者の搬送中に損傷部位の画像データの収集を行い、この画像データを無線通信手段によって災害救急センターに送信する。災害救急センターの医師は、この画像データに基づいて表示される救急患者の損傷部位の画像を観察し、診断を行なった後治療の準備を開始する。このように搬送途上の救急車内で画像データの収集と送信を行うことによって、救急患者が災害救急センターに到着した時点で緊急治療を速やかに開始することが可能となる。
【０００６】
ところで、前記の救急患者の中には内出血を呈し、そのための緊急止血が必要となる場合が多いが、その止血方法として集束強力超音波を用いた方法が研究されている。この方法を用いた豚の止血実験では、超音波ドップラー法によって特定した内出血個所に強力超音波を１３秒間照射することによって完全止血が実現できたことが報告されている（例えば、非特許文献１参照。）。
【０００７】
また、収束強力超音波を用いた治療装置としては、圧電振動子から照射する超音波を悪性腫瘍に収束させ焼灼する方法が既に提案されており、止血を目的とした超音波治療方法と原理は同様である（例えば、特許文献２参照。）。
【０００８】
【特許文献１】特開２００１−２９９７４３号公報（第４−５頁、第１−３図）
【０００９】
【特許文献２】特開平１１−２２６０４６号公報（第３−４頁、第１−２図）
【００１０】
【非特許文献１】Ｒｏｙ  Ｗ．  Ｍａｒｔｉｎ  ｅｔ．ａｌ．  ”Ｈｅｍｏｓｔａｓｉｓ  ｏｆ  ｐｕｎｃｔｕｒｅｄ  Ｖｅｓｓｅｌｓ  ｕｓｉｎｇ  Ｄｏｐｐｌｅｒ−ｇｕｉｄｅｄ  ｈｉｇｈ−ｉｎｔｅｎｓｉｔｙ  ｕｌｔｒａｓｏｕｎｄ”  Ｕｌｔｒａｓｏｕｎｄ  ｉｎ  Ｍｅｄ．  ＆  Ｂｉｏｌ．，  Ｖｏｌ．２５，Ｎｏ．６，ｐｐ．９８５−９９０，１９９９
【００１１】
【発明が解決しようとする課題】
既に述べたように、前記特許文献１記載の技術では、救急患者の診断を災害救急センター到着前に行なう方法が提案されているが、最も望まれるのは災害救急センターに搬入される前の緊急治療である。例えば、事故に遭遇した救急患者の呼吸が４分以上停止した場合には脳への酸素供給が絶たれるため、脳には不可逆的な損傷が残り、更に停止時間か長い場合には死に至ると言われている。
【００１２】
このため、災害救急センターへの搬送前あるいは搬送中における心肺蘇生法は重要となる。また緊急の止血についても同様であり、場合によっては複雑な治療装置を用いた治療が搬送中の救急車内、あるいは搬送前の遠隔地の医療施設において要求される場合がある。
【００１３】
しかしながら、複雑ゆえにリスクのある治療装置を用いた治療行為を行なうべき医師は、その絶対数の不足から過疎の医療施設にはいない場合が多く、また救急車に同乗することも困難な状況にある。
【００１４】
一方、現行救急救命士法の第４４条第１項によれば、「救急救命士は、医師の具体的指示を受けなければ、厚生省令で定める救急救命処置を行ってはならない」とされており、医師の指示無しに救急救命士が行なう高度の治療行為は違法となる。
【００１５】
このため従来は、救急患者に出血死の可能性があっても、救急救命士は医師の指示が得られないために高度の治療行為ができず、救える可能性のある救急患者を死に至らしめる恐れもあった。
【００１６】
本発明は上記の問題点に鑑みてなされたものであり、医師がいない過疎の医療施設、あるいは救急車の車内において高度の緊急治療を必要とする患者に対して、救急救命士などの医療補助者が、医師の指示に従って緊急治療を行なうことを可能とする治療装置、治療システム及び治療システム制御方法を提供することにある。
【００１７】
【課題を解決するための手段】
上記課題を解決するために、請求項１に係る本発明の治療システムは、第１の施設に設置され、被検体の画像データを収集する画像データ収集手段と、前記第１の施設に設置され、前記被検体の治療を行うための治療手段と、第２の施設に設置され、通信手段を介して送信された前記画像データ収集手段からの画像データを表示する画像表示手段と、前記第２の施設に設置され、前記画像表示手段に表示される画像に基づいて治療実行信号を入力する治療入力手段と、第１の施設に設置され、前記通信手段を介して送信された前記治療入力手段からの前記治療実行信号を受信し、前記治療手段に対して治療開始の指示を行う治療指示手段とを備えることを特徴としている。
【００１８】
また、請求項２に係る本発明の治療システムでは、第１の施設に設置され、被検体の画像データを収集する画像データ収集手段と、前記第１の施設に設置され、前記被検体の治療を行うための治療手段と、第２の施設に設置され、通信手段を介して送信された前記画像データ収集手段からの画像データを表示する画像表示手段と、前記第２の施設に設置され、前記画像表示手段に表示される画像に基づいて治療開始の指示を与える治療指示手段と、前記第１の施設に設置され、前記通信手段を介して送信された前記治療指示手段からの前記治療開始の指示を受信し、前記治療手段に対して治療信号を入力する治療信号入力手段とを備えることを特徴としている。
【００１９】
更に、請求項１５に係る本発明の治療装置は、第２の施設と通信回線を介して接続される第１の施設に設けられる治療装置であって、超音波の送受波を行う超音波振動子を備えた超音波プローブと、この超音波振動子に対して送受信をおこない画像データを生成する超音波送受波手段と、強力超音波を前記被検体に照射する超音波発生手段と、前記通信回線を介して前記第２の施設より送信される治療実行信号を受信し、前記駆動手段に対して強力超音波の照射を指示する治療実行信号受信手段とを備えることを特徴としている。
【００２０】
また、請求項１７に係る本発明の治療装置は、第２の施設と通信回線を介して接続される第１の施設に設けられる治療装置であって、超音波の送受波を行う超音波振動子を備えた超音波プローブと、この超音波振動子に対して送受信をおこない画像データを生成する超音波送受波手段と、強力超音波を前記被検体に照射する超音波発生手段と、前記通信回線を介して前記第２の施設へ治療準備が完了したことを通知する通知手段とを備えることを特徴としている。
【００２１】
一方、請求項１８に係る本発明の治療システム制御方法は、被検体に対して治療を行うための第１の施設と、前記被検体に対する治療の指示を与えるための第２の施設とが通信接続されている治療システムの制御方法であって、前記第１の施設に設置される画像データ収集手段によって収集される前記被検体の画像データを、通信手段を介して前記第２の施設に送信するステップと、前記第２の施設に設置される画像表示装置に前記画像データを表示するステップと、前記画像表示装置に表示される前記画像データに基づき、治療実行信号を入力して、前記通信手段を介して第１の施設に送信するステップと、前記治療実行信号を受信して前記第１の施設に設置される治療手段に対して治療開始の指示を行うステップとを有することを特徴としている。
【００２２】
また、請求項１９に係る本発明の治療システム制御方法は、被検体に対して治療を行うための第１の施設と、前記被検体に対する治療の指示を与えるための第２の施設とが通信接続されている治療システムの制御方法であって、前記第１の施設に設置される画像データ収集手段によって収集される前記被検体の画像データを、通信手段を介して前記第２の施設に送信するステップと、前記第２の施設に設置される画像表示装置に前記画像データを表示するステップと、前記画像表示装置に表示される前記画像データに基づき、治療開始の指示を前記通信手段を介して第１の施設に送信するステップと、前記治療開始の指示に基づき、前記第１の施設に設置される治療手段に対して治療信号を入力するステップとを有することを特徴としている。
【００２３】
したがって本発明によれば、通信網を介して治療を行なうことが可能な治療装置、治療システム及び治療システム制御方法を提供できる。
【００２４】
【発明の実施の形態】
（第１の実施の形態）
本発明の第１の実施の形態について図１乃至図６を用いて説明する。但し、図１はこの第１の実施の形態における治療システム全体の概略構成図であり、図２はこの治療システムに用いられる治療装置の構成図である。
【００２５】
治療システムは、被検体となる救急患者５１と緊急治療の補助を行なう医療補助者５２がいる第１の施設６１と、高度の治療を行なう資格を有する医師５３がいる第２の施設６２を備え、これら２つの施設６１，６２は中継局を有した無線通信網、あるいはインターネットなどの通信網によって双方向に医療情報の通信が可能になっている。但し、この場合の医療補助者５２とは、医師５３の指示無しに救急患者５１に対して高度の医療行為を行なうことができない救急救命士などをいう。また、第２の施設６２とは、当該緊急治療の専門医（医師５３）がいる、災害救急センターなどであり、第１の施設６１とは、専門医（医師５３）がいない過疎地域の医療施設、あるいは災害救急センターへ救急患者５１を搬送する途上の救急車内などであり、通常の医療施設であっても、その施設の医師が緊急治療に熟知していない場合には、この医療施設は前記第１の施設に含まれる。
【００２６】
第１の施設６１における治療システムは、被検体である救急患者５１に対して診断と治療を行なう治療装置１００と、救急患者５１から治療前あるいは治療中の各種生体情報信号を収集する生体情報計測装置３と、救急患者５１に対する治療の状況を撮影するＴＶカメラ４と、治療装置１００及びＴＶカメラ４によって得られた画像データを合成処理する画像データ処理部５と、この画像データを表示する画像表示部６を備えている。
【００２７】
また、この第１の施設６１には、後述する第２の施設６２と音声による交信を行なうための音声入出力部７と、治療の準備が完了したことを入力する治療準備完了信号入力部９と、診断及び治療の状況が記憶される診断・治療記憶部８と、第２の施設６２との間で音声や画像の送受信を行う第１の送受信部１１を備えている。
【００２８】
一方、第２の施設６２は、第１の施設６１との間で音声や画像の送受信を行う第２の送受信部２１と、この第２の送受信部２１を介して第１の施設６１から送られてくる治療装置１００及びＴＶカメラ４による画像データを表示する画像表示部２３と、この表示画像に対して指示情報を入力する指示入力部２４と、この指示情報を前記画像データに重畳させる画像データ処理部２２を備えている。更に、第２の施設６２は、第１の施設６１から送られてくる各種生体信号を出力する生体情報出力部２６と、この第１の施設６１に対して音声による交信を行なうための音声入出力部２５と、第１の施設６１の治療装置１００に対して治療実行信号を供給する治療実行信号入力部２７と、医師５３に対する認証部２８を備えている。
【００２９】
治療装置１００は、治療部位の初期診断や位置の把握を行ない、更に治療効果を確認するための医用画像データを収集する画像データ収集部１と、この治療部位に対して治療を行なう治療部２と、第２の施設６２から供給される治療実行信号を受信して治療部２に対して治療の指示を行う治療実行信号受信部１０を備えている。
【００３０】
治療実行信号受信部１０は、ゲート機能を有し、この治療実行信号受信部１０に治療準備完了信号入力部９からの準備完了信号が入力された場合のみ、第２の施設６２から送られてくる治療実行信号は治療実行信号受信部１０を介して治療部２に送られ、所定の治療が実行される。なお、治療装置１００における画像データ収集部１、及び治療部２の詳細については後述する。
【００３１】
生体情報計測装置３は、救急患者５１の心電波形、脳波、呼吸情報、血圧などの生体情報のモニタリングを行なう計測装置である。ここで計測されたそれぞれのデータは、第１の施設６１の医療補助者５２によって観測されるのみならず、第２の施設６２の生体情報出力部２６において出力され、医師５３による観測も可能である。また、この装置によって得られる各々の生体情報は第１の施設６１の診断・治療記憶部８において保存される。
【００３２】
ＴＶカメラ４は、救急患者５１の状態や医療補助者５２による治療準備の状況などを撮影する。特に救急患者５１における損傷部の状態や、この損傷部に対する治療装置１００の設定状況が撮影される。
【００３３】
画像データ処理部５は、画像メモリを備え、治療装置１００によって得られる損傷部の医用画像データとＴＶカメラ４によって得られる画像データを合成するか、あるいは交互に切り換えて画像表示部６に表示する。また、これらの画像データは診断・治療記憶部８において保存される。
【００３４】
画像表示部６は、液晶、ＣＲＴ等のモニタを備え、画像データ処理部５の画像メモリに一旦保存された画像データをＤ／Ａ変換した後ＴＶフォーマット変換し、画像表示部６に表示する。
【００３５】
音声入出力部７及び音声入出力部２５は、それぞれマイクとスピーカを備え、第１の送受信部１１及び第２の送受信部２１を介して医療補助者５２と医師５３との会話が可能となっている。例えば、医療補助者５２は医師５３に対して救急患者５１の状態や治療装置１００の準備状況を逐次報告し、医師５３は医療補助者５２に対して治療装置１００の設定方法や、救急患者５１に対する種々の対処方法を指示する場合に使用される。このときの医師５３と医療補助者５２との会話の内容は診断・治療記憶部８において録音保存される。
【００３６】
診断・治療記憶部８は、第１の施設６１の医療補助者５２による救急患者５１への初期処置、及び治療装置１００の設定や、第２の施設６２の医師５３による治療、あるいは指示の与え方が適切であるか否かを治療後に確認するために、ＴＶカメラ４及び治療装置１００によって得られた画像データや音声入出力部７からの音声情報、更には生体情報計測装置３による生体情報などを保存する。
【００３７】
治療準備完了信号入力部９は、第１の施設６１の医療補助者５２が、第２の施設６２の医師５３の指示に従いながら行なう治療装置１００の設定が完了した時点で、準備完了信号を医師５３に送り、治療の実行が可能であることを伝える。更に、後述する治療実行信号受信部１０にも準備完了信号を供給し、第２の施設６２において医師５３から送信される治療実行信号が、この治療実行信号受信部１０を介して治療装置１００に供給可能な状態を形成する。
【００３８】
第１の送受信部１１、及び第２の送受信部２１は、有線あるいは無線のネットワークで接続されており、画像データや音声データ、更には各種の生体情報信号の送受信を行なう。特に、画像データや音声データは双方向の送受信が可能である。これらの送受信部１１、及び１２の送信側には図示しないＡ／Ｄ変換器や画像データ圧縮器などが備えられ、一方、受信側はこれら変換されたデータを元に戻す回路が備えられている。
【００３９】
なお、第１の施設６１が救急車の場合には、第１の送受信器１１と第２の送受信器２１は無線通信手段によって接続される。通信技術に関しては、昨今の移動体無線通信技術のブロードバンド化により、救急車側の携帯端末器と災害救急センター側の端末器との間の通信においては音声データや文字データのみならず、静止画像データ、更には動画像データの交信も可能になりつつある。また携帯端末器から地上局を介してインターネットに接続することも可能である。
【００４０】
第２の施設６２の画像表示部２３は、液晶、ＣＲＴ等のモニタを備え、第１の施設６１の画像データ処理部５から送信されてくる生体の画像データやＴＶカメラ４によって得られる画像データをＤ／Ａ変換した後ＴＶフォーマット変換し、モニタに表示する。
【００４１】
指示入力部２４は、マウスあるいはライトペンなどの入力デバイスを備え、画像表示部２３に表示される生体画像、あるいはＴＶカメラによる画像に対して指示信号を入力する。画像データ処理部２２は、この指示入力部２４からの入力信号を画像データと合成し、画像表示部２３に表示する。なお、合成後の画像データは、第２の送受信部２１、及び第１の送受信部１１を介して第１の施設６１の画像表示部６においても表示される。
【００４２】
生体情報出力部２６は、第１の施設６１の生体情報計測装置３によって計測され、第１の送受信部１１及び第２の送受信部２１を介して送られてくる救急患者５１の生体情報を表示あるいは印刷する。
【００４３】
治療実行信号入力部２７は、治療部２の動作の開始を指示するために治療実行信号を入力する信号入力部であり、医師５３は画像表示部２３や音声入出力部２５によって第１の施設６１における治療準備の完了を確認した後、この治療実行信号入力部２７において治療実行開始の信号を入力する。
【００４４】
認証部２８は、医師５３の治療装置１００に対する使用資格の有無を検査するための生体認証装置を備え、この生体認証装置としては、松下電器産業（株）の「アイリス（虹彩）認証入隊室管理システム」の虹彩認証制御ユニット、日本電気（株）の指紋認証ユニットＰＵ８００−１、ニュアンス・コミュニケーションズ（株）の声紋認証Ｖｅｒｉｆｉｅｒ、更には、手の甲や指の静脈パターンを読み取って個人を認識する装置、掌形の特徴を利用する個人認識装置などが利用可能である。
【００４５】
次に、図２を用いて本実施の形態の治療システムにおける治療装置１００の具体的な構成について説明する。この実施の形態における治療装置１００は、画像データ収集部１としての超音波映像部９０と、治療部２として強力超音波を用いた超音波治療部９１と、第２の施設から送られてくる治療実行信号を受信して前記超音波治療部９１に対して治療の実効を指示する治療実行信号受信部１０を備えている。
【００４６】
この治療装置１００の超音波映像部９０は、救急患者５１の例えば血管の止血部位５５の超音波画像を得るためにイメージング用超音波の送受信を行なう超音波プローブ４１と、この超音波プローブ４１に対して送信信号を供給し、また、超音波プローブ４１から得られる受信信号から超音波画像データを生成する超音波送受波部４２を備えている。
【００４７】
一方、治療装置１００の超音波治療部９１は、強力超音波を止血部位５５に照射する圧電振動子４３を有したアプリケータ４４と、このアプリケータ４４の圧電振動子４３を駆動する振動子駆動部４５とを備えている。
【００４８】
超音波プローブ４１は、治療対象である血管の止血部位５５に対する強力超音波の照射状況と、止血の効果を超音波画像によってモニタリングするために備えられている。この超音波プローブ４１は、通常の超音波診断に用いられているものと同一のものが使用されるが、特に圧電振動子４３による強力超音波の照射に対して妨げにならないように、小さな超音波送受信面で広い範囲の画像化が可能なセクタ走査用の超音波プローブ４１が好適である。
【００４９】
本実施の形態では、電子的に超音波ビームの送受信方向を制御して扇状の画像領域を得るセクタ電子走査型の超音波プローブ４１を用いる。即ち超音波プローブ４１の先端部は、例えば１次元にＭ個配列された微小圧電振動子を有し、この図示しない複数の微小圧電振動子は送信時には電気パルスを超音波パルスに変換して救急患者５１の診断部位に送信し、また受信時には救急患者５１からの超音波信号を電気信号に変換する機能を有している。
【００５０】
超音波送受波部４２は、図３に示すように超音波プローブ４１から救急患者５１に対して超音波を放射するための駆動信号を生成する超音波送信部７１と、救急患者５１からの受信超音波を超音波プローブ４１を介して受信する超音波受信部７２と、この受信信号に基づいて超音波画像データを生成する画像データ生成部７３と、この画像データを保存する画像データ記憶部７４と、これらの各ユニットを統括的に制御し、第１の施設６１の画像データ処理部５に画像データの送信を行うシステム制御部８５を備えている。
【００５１】
ここで超音波送信部７１は、レートパルス発生器７６と、送信遅延回路７７と、パルサ７８を備えており、レートパルス発生器７６は、救急患者５１に放射する超音波パルスの繰り返し周期を決定するレートパルスを送信遅延回路７７に供給する。送信遅延回路７７は、Ｍチャンネルの独立な遅延回路から構成され、超音波プローブ４１において細い送信超音波ビーム幅を得るために所定の深さに超音波を収束するための遅延時間と所定の方向に超音波を偏向するための遅延時間をレートパルスに与え、パルサ７８に供給する。パルサ７８は、Ｍチャンネルの独立な駆動回路を有しており、超音波プローブ４１に内蔵されたＭ個の圧電振動子を駆動し、救急患者５１に超音波を送信するための駆動パルスを生成する。
【００５２】
一方、超音波受信部７２は、超音波振動子によって電気信号に変換された微小信号を増幅し十分なＳ／Ｎを確保するプリアンプ７９と、受信遅延回路８０と、加算器８１とを備えている。受信遅延回路８０は、細い受信ビーム幅を得るために所定の深さからの超音波を収束するための収束用遅延時間と、超音波ビームの受信指向性を制御し救急患者５１を走査するための遅延時間とをプリアンプ７９の出力に与えた後、加算器８１に送り、加算器８１ではＭチャンネルの受信信号を加算して１つに纏める。
【００５３】
画像データ生成部７３は、対数変換器８２と、包絡線検波器８３と、Ａ／Ｄ変換器８４とを備えている。画像データ生成部７３の入力信号は、対数変換器８２で受信信号の振幅を対数変換し、弱い信号を相対的に強調する働きをしている。一般に救急患者５１からの受信信号は８０ｄＢ以上の広いダイナミックレンジをもった振幅を有しており、これを２３ｄＢ程度のダイナミックレンジをもつ通常のテレビモニタに表示するためには弱い信号を強調する振幅圧縮が必要となる。包絡線検波器８３は、対数変換された受信信号に対して包絡線検波を行い、超音波周波数成分を除去し、その振幅の大きさのみを検出する。Ａ／Ｄ変換器８４は、この包絡線検波器８３の出力信号をＡ／Ｄ変換し超音波画像データを生成する。
【００５４】
画像データ記憶部７４は、画像データ生成部７３において生成された超音波の画像データを一旦保存する記憶回路であり、超音波の送受信方向を変更しながら得られるデータは順次記憶され、２次元の画像データを構成する。
【００５５】
図２に戻り、超音波治療部９１のアプリケータ４４は、例えば脱気水からなるカップリング液４０によって充満されており、その上部には強力超音波を放射する圧電振動子４３が取り付けられ、そのほぼ中央部に開口した孔部には超音波映像部９０の超音波プローブ４１が装着可能となっている。
【００５６】
一方、このアプリケータ４４における救急患者５１との接触部は、カップリング液４０とほぼ等しい音響インピーダンスと可撓性を有する高分子材料を用いたカップリング膜３９で構成されている。即ち、圧電振動子４３から照射される強力超音波や超音波プローブ４１によって送受信される画像用の超音波は、救急患者５１とほぼ等しい音響特性を有するカップリング膜３９やカップリング液４０を介して救急患者５１に対して効率良く送受信される。
【００５７】
なお、前記圧電振動子４３は、例えば、凹面状の圧電セラミックスが用いられ、第１の面（凸面）及び第２の面（凹面）には駆動信号を供給するための電極がそれぞれ装着され、凸面側の電極は支持台に固定されている。一方、凹面側の電極には強力超音波の照射を効率良く行うための音響マッチング層が設けられ、更にその表面は保護膜によって覆われている。
【００５８】
振動子駆動部４５は、治療用の強力超音波を照射するために圧電振動子４３に対して駆動信号を供給する機能を有し、圧電振動子４３の共振周波数に対応した周波数の連続波を発生するＣＷ発生器４８と、この連続波を増幅するパワーアンプ４７と、このパワーアンプ４７の出力信号を圧電振動子４３に効率良く供給するためにインピーダンスマッチングを行なうマッチング回路４６を備えている。なお、治療実行信号受信部１０は、図１の説明において既に述べたため、ここでの説明は省略する。
【００５９】
次に、図２に示した治療装置１００を使用した本発明の第１の実施の形態につき、図４乃至図６を用いて説明する。即ち、図４に示した治療装置１００は、体内において緊急の止血が要求される救急患者５１を対象としている。
【００６０】
このように構成された本実施の形態では、第２の施設６２の医師５３は、第１の施設６１から送信されてくる超音波画像データに基づいて治療の実行信号を、回線を介して直接入力することが可能となる。このため、災害救急センター、あるいは都市部の専門病院などに代表される第２の施設６２から遠く離れた場所において交通事故等に遭遇し、緊急な止血治療が必要とされる救急患者５１に対して有効な治療が可能となる。
【００６１】
図４は、上記のような治療システムの全体構成を示す図であり，図５は、本実施の形態の第１の施設６１における治療手順のフローチャートを示す。
【００６２】
例えば、事故に遭遇した救急患者５１が医師５３の存在しない過疎地の医療施設である第１の施設６１に搬送されてきた場合、この第１の施設６１の医療補助者５２はこの救急患者５１を安静状態にし、可能な応急処置を施す。更に、事故の状況あるいは外傷の状況から、体内での出血（内出血）の可能性が考えられる場合には更なる詳細な検査を行なう。この場合、出血の状態によっては緊急な止血治療が必要となる場合があるが、既に述べたように救急救命士のような医療補助者５２は、「医師の具体的指示を受けなければ、リスクの伴う医療行為を行なうことができない」とされており、後述する強力超音波による止血治療もこの医療行為に属する。
【００６３】
従って、第１の施設６１の医療補助者５２は、設置されている治療装置１００を単独で操作して治療行為を行なうことは許されていない。このため、本実施の形態においては、この治療方法を十分熟知している、第２の施設６２の医師５３に治療行為を委ねる。
【００６４】
即ち、医療補助者５２は、緊急止血の必要性が予想されたならば、最寄の第２の施設６２に連絡をとり、第１の施設６１と第２の施設６２との医療情報の交換が可能な状態を確保して緊急治療を開始する（図５のステップＳ１）。この場合の医療情報とは、第１の施設６１から送信される、超音波画像データ、心電波形や脳波などの生体情報計測データ、ＴＶカメラ４による画像データ、更には音声データなどである。
【００６５】
まず、ＴＶカメラ４と音声入出力部（マイク）７−２によって第１の施設６１の救急患者５１の状況が第２の施設６２に送信され、ＴＶカメラ４による画像は画像表示部２３によって、また音声入出力部（マイク）７−２からの音声信号は音声入出力部（スピーカ）２５−１によって医師５３に伝えられる。一方、医師５３は、音声入出力部（マイク）２５−２及び音声入出力部（スピーカ）７−１を用い、常時、医療補助者５２に対して指示を与えることが可能となっており、特に、超音波送受波部４２とアプリケータ４４を用いた超音波画像データ収集においては、アプリケータ４４の救急患者５１への設定方法について指示を与える。
【００６６】
医療補助者５２は、医師５３によって指示された位置にアプリケータ４４を設置し、超音波送受波部４２を動作状態に切り換え、超音波画像データの収集を開始する。このとき得られる超音波画像データは画像データ処理部５に供給され、例えば、ＴＶカメラ４によって得られる画像と合成して第１の送受信部１１に送られる。
【００６７】
この画像データは、第１の送受信部１１において画像データ圧縮が行なわれた後、有線により直接、あるいは図４に示すように第１の施設６１のアンテナ３１と地上中継局３２のアンテナ３３を介した無線のネットワークにより第２の施設６２の第２の送受信部２１に送られる。圧縮された画像データはこの第２の送受信部２１において元に戻され、画像データ処理部２２を介して画像表示部２３に表示される（図５のステップＳ２）。
【００６８】
図６は画像表示部２３のモニタに表示される画像の具体例を示したものであり、図６（ａ）には、救急患者５１に対する治療準備の状況が撮影されているＴＶカメラ画像が、また図６（ｂ）には、このとき得られる治療部位の超音波画像がそれぞれ同一モニタ上に並べて表示される。特に、図６（ｂ）においては血管の止血部位５５が含まれた超音波画像上に、作図によって得られる強力超音波の照射領域や集束点が重畳表示される。第１の施設６１の医療補助者５２は、第２の施設６２の医師５３の指示を受けながら強力超音波の集束点と救急患者５１の止血部位５５とが超音波画像上において一致するようにアプリケータ４４を移動させる。
【００６９】
この場合、医師５３が行なう音声による指示のみでは、その内容が医療補助者５２に伝わり難い場合には、指示入力部２４を用いることも可能である。即ち、医師５３は指示入力部２４においてライトペンやマウスなどの入力デバイスを用い、画像表示部２３に表されている超音波画像上に強力超音波の集束点の位置を示す矢印などの指示記号を重畳表示する。このとき、超音波画像データと指示記号は画像データ処理部２２において合成され、画像表示部２３に表示されると共に、第２の送受信部２１、及び第１の送受信部１１、更には画像データ処理部５を介して画像表示部６に表示される。従って、医師５３の指示は医療補助者５２に対して正確に伝達される（図５のステップＳ３）。
【００７０】
音声及び画像によって伝えられた医師５３からの指示に基づいて、医療補助者５２は、血管の止血部位５５に強力超音波の集束点を移動させ、医師５３は、この状況を画像表示部２３に表示される超音波画像、及びＴＶカメラ４による画像から常時把握する（図５のステップＳ４）。
【００７１】
医師５３は、画像表示部２３に表示される画像から強力超音波による照射位置の最適化が行なわれたことを確認したならば、その旨を音声入出力部２５を用いて医療補助者５２に伝え、医療補助者５２は、この指示に従って第１の施設６１の治療準備完了信号入力部９より準備完了信号を治療実行信号受信部１０に供給する。この準備完了信号によって治療実行信号受信部１０のゲート機能はＯＮ状態、即ち後述する治療実行信号による治療開始に対してスタンバイ状態となる（図５のステップＳ５）。
【００７２】
治療実行信号受信部１０に準備完了信号が供給されたことは、第１の送受信部１１及び第２の送受信部２１を介して治療実行信号入力部２７に伝えられ、治療実行信号入力部２７のパネル上の、例えばＬＥＤの点灯によって医師５３に伝えられる。医師５３は、このＬＥＤ表示から治療準備が完了したことを確認したならば、同じ治療実行信号入力部２７の信号入力部から治療実行信号を入力する（図５のステップＳ６）。この治療実行信号は、第２の送受信部２１、及び第１の送受信部１１を介して治療実行信号受信部１０に送られ、更に、振動子駆動部４５のシステム制御回路４９に供給される。
【００７３】
次に、治療実行信号を受けたシステム制御回路４９はＣＷ発生器４８を制御し、圧電振動子４３の共振周波数とほぼ同一の周波数を有する連続波を発生する。そして、この連続波は、パワーアンプ４７、マッチング回路４６を介して圧電振動子４３を駆動し、この圧電振動子４３の曲率によって決定される集束点に対して強力超音波を照射する。即ち、強力超音波は、集束点に位置する血管の止血部位５５に照射され、この強力超音波のもつ発熱作用及び血液凝固作用によって、損傷を受けた血管の止血が行なわれる（図５のステップＳ７）。
【００７４】
なお、ステップＳ５のスタンバイ状態において、第２の施設６２の治療実行信号入力部２７から治療実行信号を入力する医師５３は、この治療法を熟知している必要がある。このため、医師５３は治療実行信号を入力する前に、この治療実行信号入力部２７のパネル上あるいは近傍に備えられた認証部２８において、この医師５３が治療資格を有していることの認証を行ない、認証された場合のみ医師５３は治療実行信号を入力することが可能となる。
【００７５】
医師５３は、画像表示部２３に表示される治療の状況を継続して観察し、照射位置や照射量が不適切な場合には音声によって治療の中断とアプリケータ４４の再設定、あるいは照射パワーの再設定を医療補助者５２に伝える（図５のステップＳ８）。一方、医師５３は、超音波画像上で強力超音波による十分な治療効果を確認したならば治療行為を終了する（図５のステップＳ９）。
【００７６】
なお、治療中、第１の施設６１と第２の施設６２の間で送受信された画像データや音声データ、更には生体情報計測データなどは診断・治療記憶部８において保存され、この治療行為が医師５３の判断によって行なわれたものであることの証拠データとして用いられる。
【００７７】
以上述べた第１の実施の形態によれば、救急患者５１と共にいる医療補助者５２はあくまでも治療行為の補助に徹し、治療の実行信号は医師５３が回線を介して直接入力するため、現行の救急救命士法の範囲内での緊急治療が可能となる。従って、たとえ医師５３がいない過疎の医療施設においても医師５３による緊急治療が可能となる。
【００７８】
（第２の実施の形態）
次に、本発明の第２の実施の形態について図７乃至図８を用いて説明する。
【００７９】
上記の第１の実施の形態においては、医師５３が通信回線を用いて治療装置１００に治療実行信号を入力することによって治療を行なったが、この第２の実施の形態では通信回線を用いて医師５３から治療の指示をうけた医療補助者５２が、治療装置１００に対して直接治療実行信号を入力して治療を行なうことを特徴としている。
【００８０】
図７は、この第２の実施の形態における治療システムの全体構成を示す図であり、この場合も治療部２は超音波治療部９１、画像データ収集部１は超音波超音波映像部９０を用い、体内において緊急止血が要求される救急患者５１を対象としている。また，図８はこの第２の本実施の形態の第１の医療施設６１における治療手順を示すフローチャートである。
【００８１】
医療補助者５２は、交通事故等に遭遇した救急患者５１に対し診断を行なった結果、緊急の止血治療が予想される場合は、最寄の第２の施設６２に連絡をとり、第１の施設６１と第２の施設６２との医療情報の交換が可能な状態を確保して緊急治療の体制を整える（図８のステップＳ１１）。まず、第１の施設６１の医療補助者５２から第２の施設６２の医師５３に対して超音波画像データ、心電波形や脳波などの生体情報計測データ、ＴＶカメラ４による画像データ、更には音声データが送信される。
【００８２】
即ち、ＴＶカメラ４と音声入出力（マイク）７−２によって救急患者５１及び医療補助者５２のいる第１の施設６１の状況が第２の施設６２に送信され、ＴＶカメラ４による画像は画像表示部２３に、また音声入出力（マイク）７−２からの音声信号は音声入出力部（スピーカ）２５−１によって医師５３に伝えられる。一方、医師５３は医療補助者５２に対して、超音波映像部９０の超音波送受波部４２と、超音波治療部９１のアプリケータ４４による超音波画像データ収集の手順について、音声入出力部（マイク）２５−２を用いて指示を与える。
【００８３】
医療補助者５２は、超音波治療部９１のアプリケータ４４を指示された位置に設定し、超音波映像部９０の超音波送受波部４２を動作状態に切り換えて画像データの収集を行う。このとき得られる画像データは画像データ処理部５に供給され、例えば、ＴＶカメラ４によって得られる画像と合成して第１の送受信部１１に送られる。
【００８４】
この画像データは、第１の送受信部１１において画像データ圧縮が行なわれた後、第１の施設６１のアンテナ３１と地上中継局３２のアンテナ３３を介して第２の施設６２の第２の送受信部２１に送られる。圧縮された画像データは、この第２の送受信部２１において元に戻され、画像データ処理部２２を介して画像表示部２３に表示される（図８のステップＳ１２）。
【００８５】
医師５３は、画像表示部２３に表示される超音波画像を観測し、この画像上において救急患者５１の出血部位５５と強力超音波の集束点の位置が一致するように、医療補助者５２に対してアプリケータ４４の設定方法について指示を行なう。
【００８６】
このとき、医師５３は、必要に応じて指示入力部２４を用いることも可能である。即ち、音声のみによる指示では不充分な場合には、医師５３は、指示入力部２４においてライトペンやマウスなどの入力デバイスをもちい、画像表示部２３に表示されている超音波画像に対して、強力超音波の集束点の設定位置や移動方向を示す矢印などの記号や図形を入力する。
【００８７】
この指示信号は、画像データ処理部２２において超音波画像データと合成され画像表示部２３に重畳表示されると共に、第２の送受信部２１及び第１の送受信部１１、更には画像データ処理部５を介して画像表示部６にも表示される。このようにして、医師５３による指示は医療補助者５２に正確に伝達される（図８のステップＳ１３）。
【００８８】
音声、及び画像によって受けた医師５３からの指示に基づいて医療補助者５２は治療部位に強力超音波の集束点を移動させ、このときの状況を、医師５３は画像表示部２３に表示される超音波画像、及びＴＶカメラ４の画像によって常時把握する（図８のステップＳ１４）。
【００８９】
この画像表示部２３に表示された画像を観察し、強力超音波による照射位置の最適化が行なわれたことを確認したならば、医師５３は、その旨を音声入出力部２５を用いて医療補助者５２に治療の実行が可能であることを伝え（図８のステップＳ１５）、医療補助者５２は、この指示に従って第１の施設６１の治療実行信号入力部２７より治療実行信号を入力する（図８のステップＳ１６）。
【００９０】
この治療実行信号は、振動子駆動部４５のシステム制御回路４９に供給され、治療実行信号を受けたシステム制御回路４９は、ＣＷ発生器４８を駆動し、圧電振動子４３の共振周波数とほぼ同一の周波数を有する連続波を発生する。そして、この連続波は、パワーアンプ４７、マッチング回路４６を介して圧電振動子４３を駆動し、この圧電振動子４３の曲率によって決定される集束点に対して強力超音波を照射する（図８のステップＳ１７）。
【００９１】
医師５３は、画像表示部２３に表示される治療の状況を継続して観察し、照射位置や照射量が不適切な場合には音声によって治療の中断とアプリケータ４４の再設定、あるいは照射パワーの再設定を医療補助者５２に伝える。再設定の指示を受けた医療補助者５２は強力超音波の照射を一旦止め、アプリケータ４４を再設定した後、再度医師５３の指示に従い照射を開始する（図８のステップＳ１８）。
【００９２】
一方、医師５３は、超音波画像上で強力超音波による十分な治療効果を確認したならば（図８のステップＳ１９）、治療行為の終了を医療補助者５２に伝え、医療補助者５２は止血治療を終了する（図８のステップＳ２０）。
【００９３】
このようにして行なわれる止血治療において、第１の施設６１と第２の施設６２との間で送受信された画像データや音声データ、更には生体情報計測データなどは診断・治療８において保存され、この治療行為が医師５３の指示によって行なわれたものであることを記録に残す。
【００９４】
以上述べた第２の実施の形態によれば、医療補助者５２が行なう治療行為は全て医師５３の指示によるものとなり、現行の救急救命士法の範囲内での緊急治療が可能となる。このため、たとえ医師５３がいない過疎の医療施設においても医師５３の指示による緊急治療が可能となる。
【００９５】
以上、本発明の実施の形態について述べてきたが、本発明は上記の実施の形態に限定されるものではなく、変形して実施することが可能である。例えば、上記の実施の形態の説明における第１の施設６１は、過疎の医療施設について述べてきたが、救急患者５１を第２の施設６２に搬送するための救急車や救急ヘリコプタの場合においても、本実施の形態は有効である。
【００９６】
また、本実施の形態においては、画像データ収集部１として超音波診断装置（超音波映像部９０）を用いた場合について述べたが、例えば、Ｘ線装置やＸ線ＣＴ装置など、他の画像診断装置であってもよい。
【００９７】
更に、治療部２として止血を目的とした超音波治療部９１について述べたが、これに限定されるものではなく、例えば咽頭鏡による観察下での気管挿管であってもよく、また除細動器であってもよい。
【００９８】
一方、診断治療記憶部８は、本実施の形態において第１の施設６１に設置された例を示したが、第２の施設６２に設置されてもよく、両方の施設に設置されれば更に好適である。
【００９９】
【発明の効果】
以上述べたように本発明によれば、通信回線を介して治療を行なうことが可能な治療装置、治療システム及び治療システム制御方法を提供できる。
【図面の簡単な説明】
【図１】本発明の第１の実施の形態における治療システム全体の概略構成を示す図。
【図２】本発明の第１の実施の形態における治療装置の構成を示す図。
【図３】本発明の第１の実施の形態における超音波送受波部の構成を示す図。
【図４】本発明の第１の実施の形態における治療システムの具体的な構成を示す図。
【図５】本発明の第１の実施の形態における治療手順を示すフローチャート。
【図６】本発明の第１の実施の形態における超音波画像及びＴＶカメラ画像の表示例を示す図。
【図７】本発明の第２の実施の形態における治療システムの構成を示す図。
【図８】本発明の第２の実施の形態における治療手順を示すフローチャート。
【符号の説明】
１…画像データ収集部
２…治療部
３…生体情報計測装置
４…ＴＶカメラ
５、２２…画像データ処理部
６、２３…画像表示部
７、２５…音声入出力部
８…診断・治療記憶部
９…治療準備完了信号入力部
１０…治療実行信号受信部
１１、２１…送受信部
２４…指示入力部
２６…生体情報出力部
２７…治療実行信号入力部
２８…認証部
６１…第１の施設
６２…第２の施設
５１…救急患者
５２…医療補助者
５３…医師
１００…治療装置
【図１】
2004147899.tif 000003
【図２】
2004147899.tif 000004
【図３】
2004147899.tif 000005
【図４】
2004147899.tif 000006
【図５】
2004147899.tif 000007
【図６】
2004147899.tif 000008
【図７】
2004147899.tif 000009
【図８】
2004147899.tif 000010